(57)【要約】【課題】少量の液を安定的に吐出できるとともに、バージンシール性を備え、また、バージンシールの解除後に解除用の押圧部が開口した注出口の栓を兼用し、シール解除された弁体による収納室下端開口の閉塞とともに二重シールが可能な液体吐出容器を提案する。【解決手段】圧搾可能な胴部６を有する容器体２の口頸部８内に、上下端にそれぞれ第１連通口９及び第２連通口10を開口した収納室Ａを設け、また、上記第１連通口９に液密に嵌合させた棒栓部15を本体16上面より突設した特殊構成の栓兼用弁体３を設けて構成した。そして、棒栓部15の強制押し下げにより収納室Ａ内へ収納された栓兼用弁体３は第２連通口10を閉塞して吐出弁を構成し、また、液圧で上昇して第１連通口９を閉塞した際に弁体３が画成する通液路から液の吐出を可能に構成した。【選択図】図１
2005053512.tif 000002
【特許請求の範囲】
【請求項１】
圧搾可能な胴部６より口頸部８を起立するとともに、上記口頸部８内に、上下端にそれぞれ第１連通口９，第２連通口10を開口した収納室Ａを備えてなる容器体２と、上記第１連通口９に液密に嵌合させた棒栓部15を本体16上面より突設するとともに、上記棒栓部15の強制押し下げにより上記収納室Ａ内へ上下動可能に収納される栓兼用弁体３とを備え、上記収納室内へ収納された上記栓兼用弁体３は、上記第２連通口10を閉塞するとともに、容器体胴部圧搾時の液圧により上昇して上記第１連通口９を閉塞する如く構成したことを特徴とする液体吐出容器。
【請求項２】
上記口頸部８外周にスペーサ５を介して嵌合させるとともに、裏面より棒栓20を垂設したキャップ４を設け、上記スペーサ５除去後の上記キャップ４の嵌合時に、上記棒栓20が上記棒栓部15を強制押し下げして栓兼用弁体３を上記収納室Ａ内へ離脱させ、且つ、上記第１連通口９に液密に嵌合する如く構成した請求項１記載の液体吐出容器。  
【請求項３】
上記栓兼用弁体３が上昇して上記第１連通口９を閉塞した際に、上記棒栓部15と上記第１連通口９縁部との密接面を縦断する通液路ａを介して液の吐出が可能に構成してなる請求項１記載の液体吐出容器。
【請求項４】
上記通液路ａが、上記棒栓部15の上部コーナー部分に縦設した縦凹溝である請求項３に記載の液体吐出容器。
【発明の詳細な説明】
【技術分野】
【０００１】
本発明は液体吐出容器に関し、詳しくは、未使用を表現できる所謂バージンシール機能を備え、また、液の微量な吐出を安定的に行える液体吐出容器に関する。
【背景技術】
【０００２】
液体吐出容器として、容器体の口頸部内に特殊構成の栓部材を嵌着して内容物を切れ良く滴下できるものが提案されている（例えば、特許文献１参照）。
【０００３】
上記容器は、容器体の口頸部に筒状の栓本体を嵌着し、この栓本体内に球状の弁体を上下動可能に遊嵌している。栓本体内周下部には弁座となる突条を突周設するとともに、栓本体内周上部には上昇を抑制する突条を突周設し、更に、上部の突条部分に縦溝を形成している。そして、容器体胴部を圧搾することにより弁体を上部の突条に圧接し、縦溝を介して少量の液を外部に注出する如く構成している。
【特許文献１】特開２００２−３９４０９号公報
【発明の開示】
【発明が解決しようとする課題】
【０００４】
本発明は上記従来容器の如く少量の液を安定的に吐出することができるとともに、バージンシール性を備え、また、バージンシールの解除後に解除用の押圧部が開口した注出口の栓を兼用し、シール解除された弁体による収納室下端開口の閉塞とともに二重にシールが可能な便利な液体吐出容器を提案するものである。
【課題を解決するための手段】
【０００５】
本請求項１発明の液体吐出容器は、上記課題を解決するため、圧搾可能な胴部６より口頸部８を起立するとともに、上記口頸部８内に、上下端にそれぞれ第１連通口９，第２連通口10を開口した収納室Ａを備えてなる容器体２と、上記第１連通口９に液密に嵌合させた棒栓部15を本体16上面より突設するとともに、上記棒栓部15の強制押し下げにより上記収納室Ａ内へ上下動可能に収納される栓兼用弁体３とを備え、上記収納室内へ収納された上記栓兼用弁体３は、上記第２連通口10を閉塞するとともに、容器体胴部圧搾時の液圧により上昇して上記第１連通口９を閉塞する如く構成したことを特徴とする液体吐出容器として構成した。
【０００６】
本請求項２発明の液体吐出容器は、上記口頸部８外周にスペーサ５を介して嵌合させるとともに、裏面より棒栓20を垂設したキャップ４を設け、上記スペーサ５除去後の上記キャップ４の嵌合時に、上記棒栓20が上記棒栓部15を強制押し下げして栓兼用弁体３を上記収納室Ａ内へ離脱させ、且つ、上記第１連通口９に液密に嵌合する如く構成した請求項１記載の液体吐出容器として構成した。
【０００７】
本請求項３発明の液体吐出容器は、上記栓兼用弁体３が上昇して上記第１連通口９を閉塞した際に、上記棒栓部15と上記第１連通口９縁部との密接面を縦断する通液路ａを介しての液の吐出が可能に構成してなる請求項１記載の液体吐出容器として構成した。
【０００８】
本請求項４発明の液吐出容器は、上記通液路ａが、上記棒栓部15の上部コーナー部分に縦設した縦凹溝である請求項３に記載の液体吐出容器として構成した。
【発明の効果】
【０００９】
本発明の液吐出容器は、上記栓兼用弁体３を備えているため、開封前には収納室Ａの上端開口を液密に閉塞して容器が未使用であることが一目で判り、所謂バージンシール性を良好に発揮できるものである。また、開封後にはこの栓兼用弁体３が吐出弁として、また、液の吐出量の調整部材として働き、結果三つの役割を果たす便利がある。また、収納室Ａ内容積をできるだけ占有する如く栓兼用弁体３の大きさを調整することができるため、収納液を使い切って最終的に収納室Ａ内に残る液を極力少なくすることができ、高価な収納液の場合でも効率良く使用でき、利用者に充分な満足感を与えるる利点も兼ね備えている。
【００１０】
また、上記口頸部８外周にスペーサ５を介して嵌合させるとともに、裏面より棒栓20を垂設したキャップ４を設け、上記スペーサ５除去後の上記キャップ４の嵌合時に、上記棒栓20が上記棒栓部15を強制押し下げして栓兼用弁体３を上記収納室Ａ内へ離脱させ、且つ、上記第１連通口９に液密に嵌合する如く構成したものにあっては、スペーサ５を除去しない限り開封することができず、更に明確なバージンシール性を発揮することができ、また、キャップ４の装着時に開封することができて開封操作が容易であり、特にキャップ４を口頸部８に螺着して嵌合させる構造の場合には棒栓20による棒栓部15の押し下げを小さな力で効率よく容易に行えるものである。また、キャップ４の棒栓20が開封時の押圧部と、開封後の栓との両作用を発揮できる利点を兼ね備えている。
【００１１】
更に、上記棒栓部15の上部コーナー部分に縦設した縦凹溝18により上記通液路ａを構成したものにあっては、常時少量の液を安定的に吐出できる利点を兼ね備えている。
【発明を実施するための最良の形態】
【００１２】
本発明の液体吐出容器１は、容器体２と、栓兼用弁体３と、キャップ４と、スペーサ５とを備えている。
【００１３】
容器体２は、圧搾可能な胴部より口頸部を起立したものが使用できる。例えば、図示例の如く、下端を扁平に閉塞した（図示せず）筒状の圧搾可能な胴部６より肩部７を介して口頸部８を起立したチューブタイプのものや、図示しないが、有底筒状の圧搾可能な胴部より肩部を介して口頸部を起立したボトルタイプのものが採用できる。尚、ボトルタイプのものを採用する場合には、外部より容器体内へ一方的に連通する外気導入弁を設けて液注出後の負圧化した容器体内に外気が導入できる如く構成すると良い。
【００１４】
また、容器体２はその口頸部８内に上下端にそれぞれ第１連通口９及び第２連通口10を開口し、また、上記栓兼用弁体３を収納するための収納室Ａを備えている。図示例に於いて収納室Ａは、口頸部８内周上端部より内方へ一体にフランジ状の頂板部11を延設し、その下方の口頸部内周に嵌合させた嵌合筒部12の下端縁より内方へフランジ状の底板部13を延設した底板部材14を設け、上記頂板部11、底板部13、頂板部及び底板部間の嵌合筒部12及び口頸部８内周面により画成している。また、頂板部11の中央部には吐出口を兼ねる円形の第１連通口９を開口し、また、底板部13の中央部には円形の第２連通口10を開口している。更に、底板部13は、外周縁部を外方へ昇るテーパ状に構成している。
【００１５】
上記栓兼用弁体３は、上記第１連通口９に液密に嵌合させた棒栓部15を本体16上面より突設するとともに、上記棒栓部15の強制押し下げにより上記収納室Ａ内へ上下動可能に収納される如く構成したものである。上記棒栓部15の第１連通口９への嵌合形態は、上記した如く強制押し下げにより離脱して栓兼用部材３が収納室Ａ内へ収納される如きものである。また、栓兼用弁体３は、収納室Ａへの収納後の液の吐出に際しては、その先端部で第１連通口９を閉塞する必要がある。従って、棒栓部15は第１連通口９より大径で且つ強制的に押し込み通過が可能な部位を備えたものが好ましく、具体的一例として、図示例の如く上部外面より外周面が断面円弧状をなす環状突部17を突設したものが採用出来、この環状突部17を下方から強制的に乗り越えさせて上記第１連通口９に嵌着させている。
【００１６】
また、上記収納室内へ収納された上記栓兼用弁体３は、下面を上記収納室Ａ下面に密接して上記第２連通口10を閉塞するとともに、容器体胴部圧搾時の液圧により上昇して上記第１連通口９閉塞し、また、上記棒栓部15と上記第１連通口９縁部との密接面を縦断する通液路ａを介しての液の吐出が可能に構成している。この通液路ａは上記要件を満たせば種々の形態を採用できるが、例えば図示例の如く、上記環状突部17の上部コーナー部に縦凹溝18を縦設して通液路ａとしたものが採用できる。この通液路ａは、図３に示す如く、栓兼用弁体３が最上昇位置に押し上げられた際に収納室Ａ内外を連通する。また、図示しないが、この通液路ａは、上記頂板部11の下部コーナー部に縦設しても良い。更に、その径，数等は必要に応じて選択する。
【００１７】
本体16は上記棒栓部15とともに、収納室Ａ内を上下動可能な大きさを有し、下面を収納室下面に密接して第２連通口10を閉塞可能に構成している。その具体的形状は上記要件を満たせば種々可能であり、例えば下端を開口した有頂筒状をなしたものであっても、中空棒状のものであっても、中実棒状のものであっても良い。図示例では、下面周縁部をテーパ状に面取りしてその面取部を上記底板部13のテーパ部分上面に密接した周壁16a 上端より頂壁16b を延設した下端開口の筒状をなしている。また、その外周には周方向複数の縦長凹部19を凹設している。
【００１８】
キャップ４は、上記口頸部８外周に上記スペーサ５を介して嵌合させるとともに、裏面より棒栓20を垂設している。また、上記スペーサ５の除去後のキャップの嵌合時に、上記棒栓20が上記棒栓部15を強制押し下げして栓兼用弁体３を上記収納室Ａ内へ離脱させ、且つ、上記第１連通口９に液密に嵌合する如く構成している。図示例では、容器体口頸部８外周に螺着させた周壁21の上端縁より頂壁22を延設し、頂壁22裏面中央より棒栓20を垂設している。この棒栓20は、スペーサ５が存在する場合には図１の如く棒栓部15上方に位置し、スペーサ５を取り除くと、図２に示す如く、第１連通口９と液密に嵌合する長さを有している。尚、キャップ４はこの実施例の如く裏面より棒栓を垂設したものに限らず、下端開口の有頂筒状をなす通常形態のものを採用してもよい。その場合には、栓兼用弁体３は倒立したキャップの頂壁や別の適当な道具等により押し下げ開封すると良い。
【００１９】
スペーサ５は、キャップ４下方に介在させてキャップ４を所定嵌合位置より上方に嵌合させる如く構成したものである。図示例では、キャップ周壁21下面と容器体肩部７上面との間に介在されたリング状に構成しており、キャップ４とは別体に構成している。そして、キャップ４を一旦螺脱後、上方へ引き上げて取り外すことができる如く構成している。スペーサは、図示例のものに限らず、上記要件を満たせば種々の形態を採用でき、例えば、キャップと一体に形成して破断部を介して切り離し可能に構成したものであっても良く、その場合には環状に形成したものでなく、周方向複数のブロック片として構成したものであっても良い。
【００２０】
上記の如く構成した液体吐出容器１を使用するに当たっては、例えば図１の状態からキャップ４を螺脱した後、スペーサ５を取り外し、次いで再びキャップ４を螺着する。キャップ４をスペーサ５が存在して螺合できない部分まで螺合させると、図２に示す如く、棒栓20により棒栓部15を押圧して強制的に離脱させ、栓兼用弁体３を収納室Ａ内下端部に押し下げる。この際、棒栓20は第１連通口９に密嵌してこの部分のシールを図るとともに、栓兼用弁体３の下面が収納室Ａ下面に密接して第２連通口10を閉塞して二重のシールを行える。また、液を吐出する場合には、図２の状態からキャップ４を外し、容器体胴部６を圧搾すると、図３に示す如く、液圧で栓兼用弁体３が上昇し、その棒栓部15が頂板部11下面に当接して第１連通口９を閉塞するとともに、通液路ａを介して液が吐出される。胴部６の圧搾を解除すると、胴部６の弾性復元力に伴う胴部内圧化により、栓兼用弁体３は下方に移行して第２連通口10を閉塞し、胴部は変形状態を維持する。
【００２１】
図４は他の例を示し、本実施例では、図１の実施例に於いて、通液路を省いた構成をなしており、その他は図１の実施例と同様である。この場合には  例えば図４の状態からキャップ４を螺脱した後、スペーサ５を取り外し、次いで再びキャップ４を螺着する。キャップ４をスペーサ５が存在して螺合できない部分まで螺合させると、棒栓20により棒栓部15を押圧して強制的に離脱させ、栓兼用弁体３を収納室Ａ内下端部に押し下げる。この際、棒栓20は第１連通口９に密嵌してこの部分のシールを図るとともに、栓兼用弁体３の下面が収納室Ａ下面に密接して第２連通口10を閉塞して二重のシールを行える。また、液を吐出する場合には、図２の状態からキャップ４を外し、容器体胴部６を圧搾すると、液圧で栓兼用弁体３が上昇し、その棒栓部15が頂板部11下面に当接するまでの間に栓兼用弁体３周囲の液が滴下される。
【００２２】
尚、上記した実施例に於いて各部材は合成樹脂により形成すると良い。
【図面の簡単な説明】
【００２３】
【図１】本発明液体吐出容器の要部縦断面図である。（実施例１）
【図２】同容器のスペーサーを外して開栓した状態の要部縦断面図である。（実施例１）
【図３】同容器の液を吐出する際の要部縦断面図である。（実施例１）
【図４】本発明液体吐出容器の要部縦断面図である。（実施例２）
【符号の説明】
【００２４】
２…容器体，３…栓兼用弁体，４…キャップ，５…スペーサ，６…胴部，
８…口頸部，９…第１連通口，10…第２連通口，15…棒栓部，16…本体，
20…棒栓，Ａ…収納室，ａ…通液路
【図１】
2005053512.tif 000003
【図２】
2005053512.tif 000004
【図３】
2005053512.tif 000005
【図４】
2005053512.tif 000006